(57)【要約】      （修正有）【課題】家禽を飼育する飼器において、飼料を均等に自動散布し、家禽が定時、定量に飼料を摂取できる飼料散布裝置を提供する。【解決手段】家禽を飼育する飼器における飼料を散布するための飼料散布裝置は、飼料を貯蔵する容器と、容器の底板の出口に設けられ、底板から流出する飼料を受け入れて容器の外に押し出し、散布できるようにした飼料放出器と、容器の外に設けられ、飼料放出器を回転させる駆動裝置とを含む。【選択図】図１
0003139369.tif 000002
【実用新案登録請求の範囲】
【請求項１】
家禽を飼育する飼器における飼料を散布するための飼料散布裝置であって、
飼料を貯蔵する容器と、
前記容器の底板の出口に設けられ、前記底板から流出する飼料を受け入れて前記容器の外に押し出し、散布できるようにした飼料放出器と、
前記容器の外に設けられ、前記飼料放出器を回転させる駆動裝置と、
を含むことを特徴とする、飼料散布裝置。
【請求項２】
前記駆動裝置は、前記容器の底板とともに前記飼料放出器を回転させることを特徴とする、請求項１に記載の飼料散布裝置。
【請求項３】
前記底板の下方には、中央から外周に向って下に傾斜した１つの散布皿が設けられており、前記飼料放出器から押し出された飼料を前記散布皿の周縁に沿って分布させ得ることを特徴とする、請求項１に記載の飼料散布裝置。
【請求項４】
前記駆動裝置はモータであることを特徴とする、請求項１に記載の飼料散布裝置。
【請求項５】
前記飼料放出器は、飼料通路を含む樋体と、前記底板の出口に対応して設けられる受け口とを有し、前記受け口から前記底板上の飼料が前記飼料通路に導入可能であり、前記飼料放出器は、前記飼料通路内に設けられた送りねじ棒と、当該送りねじ棒に連結したモータとを有し、前記送りねじ棒を駆動回転させて前記飼料通路内の飼料を前記出口から送出することを特徴とする、請求項１に記載の飼料散布裝置。
【請求項６】
前記容器内には、前記飼料放出器から飼料を押し出すときに前後にスイング運動する撹拌器が設けられていることを特徴とする、請求項１に記載の飼料散布裝置。
【請求項７】
前記容器上には、１つのふたが設けられていることを特徴とする、請求項６に記載の飼料散布裝置。
【請求項８】
前記飼料放出器のモータには制御器が接続されており、前記飼料放出器のモータの動作時間を設定可能としたことを特徴とする、請求項５に記載の飼料散布裝置。
【請求項９】
家禽を飼育する飼器における飼料を散布するための飼料散布裝置であって、
飼料を貯蔵する容器と、
前記容器の底板の出口に設けられた飼料放出器と、
前記飼料放出器の出口下方に設けられ、前記飼料放出器で前記容器外に押し出された飼料を受け入れる漏斗と、
前記漏斗の下方に設けられ、中央から外周に向って下に傾斜した形状であり頂部中央に位置する錐体を有する散布皿とを含み、
前記容器から流下した飼料が前記飼料放出器で前記容器から押し出され、前記漏斗を経て前記錐体に至った飼料が前記散布皿の周縁に沿って分布させられるようにしたことを特徴とする、飼料散布裝置。
【請求項１０】
前記飼料放出器は、飼料通路を含む樋体と、前記底板の出口に対応して設けられる受け口とを有し、前記受け口から前記底板上の飼料が前記飼料通路に導入可能であり、前記飼料放出器は、前記飼料通路内に設けられた送りねじ棒と、当該送りねじ棒に連結したモータとを有し、前記送りねじ棒を駆動回転させて前記飼料通路内の飼料を前記出口から送出することを特徴とする、請求項９に記載の飼料散布裝置。
【請求項１１】
前記飼料放出器のモータには制御器が接続されており、前記飼料放出器のモータの動作時間を設定可能としたことを特徴とする、請求項１０に記載の飼料散布裝置。
【請求項１２】
前記容器内壁の底板に隣接して前記出口の位置に１本の横バーが設けられ、当該横バーから下に向かって垂直に１つの弾性を有する撹拌器が取り付けられ、当該撹拌器の下端は更に下にある前記飼料放出器の送りねじ棒の螺旋状の齒部と接触し、前記送りねじ棒の螺旋状の齒部の回転により前記撹拌器が駆動されて前後にスイングし、前記底板の出口を撹拌して飼料の堆積を防ぐようにしたことを特徴とする、請求項１０に記載の飼料散布裝置。
【考案の詳細な説明】
【技術分野】
【０００１】
本考案は、飼料を散布するための飼料散布裝置に関するもので、更に詳しく言えば、鳩などの家禽を飼育するための飼器において、飼料を均等に自動散布して家禽が定時、定量に飼料を摂取できるように工夫された飼料散布裝置に関するものである。
【背景技術】
【０００２】
現在の家庭では猫、犬、鳩などの鳥類、観賞用魚などを飼育して、生活に潤いを持たすことが普通の趣味になってきた。しかし、常時の生活が多忙だとか、度々国外旅行をしなければならないような家庭では、これらペットの生活に対するケアがおろそかになり、飢餓や病気で死亡させる場合もあり遺憾を招くようなことになる。市場では、ペットの自動給食器のような器具が出回っているようであるが、あまり理想的な物は見当らないようである。価格が安く、構造が簡単で取扱いやすいペットの自動給食器の出現は、ペット愛好家の切望するところである。
【考案の開示】
【考案が解決しようとする課題】
【０００３】
このような従来の技術上の欠点に鑑み、これを改善せんがため、本願の考案者は長年ペット用品の製造に従事してきた経験に基づき、更に研鑚考究と実験を重ねて、遂に本考案の家禽を飼育する飼器において、飼料を均等に自動散布し、家禽が定時定量で摂取できるように工夫された裝置の開発の成功を見るに至った。
【０００４】
本考案の主要な目的は、家禽を飼育する飼器において、飼料を均等に自動散布し、鳩などの家禽が定時、定量に飼料を摂取できるように工夫された裝置を提供し、飼育者の管理上の面倒を省くことにある。
【課題を解決するための手段】
【０００５】
上記の目的を達成するため、本考案においては、家禽を飼育する飼器における飼料を散布するための飼料散布裝置であって、飼料を貯蔵する容器と、前記容器の底板の出口に設けられ、前記底板から流出する飼料を受け入れて前記容器の外に押し出し、散布できるようにした飼料放出器と、前記容器の外に設けられ、前記飼料放出器を回転させる駆動裝置と、を含む飼料散布裝置を提供し、家禽が飼料を定時、定量に摂取できるようにした。
【０００６】
また、本考案のもう１つの態様においては、家禽を飼育する飼器における飼料を散布するための飼料散布裝置であって、飼料を貯蔵する容器と、前記容器の底板の出口に設けられた飼料放出器と、前記飼料放出器の出口下方に設けられ、前記飼料放出器で前記容器外に押し出された飼料を受け入れる漏斗と、前記漏斗の下方に設けられ、中央から外周に向って下に傾斜した形状であり頂部中央に位置する錐体を有する散布皿とを含み、前記容器から流下した飼料が前記飼料放出器で前記容器から押し出され、前記漏斗を経て前記錐体に至った飼料が前記散布皿の周縁に沿って分布させられるようにしたことを特徴とする、飼料散布裝置を提供する。
【０００７】
また、飼料放出器のモータに制御器を接続して、モータの動作時間を設定できるようにした。
【０００８】
また、容器内壁の底板に隣接して前記出口の位置に１本の横バーが設けられ、当該横バーから下に向かって垂直に１つの弾性を有する撹拌器が取り付けられ、当該撹拌器の下端は更に下にある前記飼料放出器の送りねじ棒の螺旋状の齒部と接触し、前記送りねじ棒の螺旋状の齒部の回転により前記撹拌器が駆動されて前後にスイングし、前記底板の出口を撹拌して飼料の堆積を防ぐようにした。
【０００９】
なお、本考案に係るその他の特徴や優れた点は、本明細書に添付した図面を参照して、下記の本考案の実施形態の説明を詳読されれば、理解していただけると思う。
【考案の効果】
【００１０】
本考案に係る飼料散布裝置を家禽を飼育する飼器に利用すれば、家禽は定時、定量に飼料を摂取でき、飼育者の煩雜な管理上の面倒が省け、誠に便利な器具である。故に本考案はその形態において確かに創造性があるのみならず、従来の器具に比べて上述の幾多の機能を追加しており、新規性及び進歩性の法定の実用新案登録要件に十分合致するものと考える。
【考案を実施するための最良の形態】
【００１１】
以下、本考案の実施の形態を、図面を参照して詳細に説明する。
【００１２】
本考案に係る、飼料散布裝置を図１から図３に示す。均等に飼料を散布するための飼料散布裝置１０は、飼料などを貯蔵する容器１１を含み、容器１１の中には１つの受け皿１２があり、回転台１２１が受け皿１２に枢設されている。回転台１２１の上には容器１１に貯蔵された飼料などを載せる底板１３があり、容器１１の下方には駆動裝置（例えばモータ）１４が取り付けてある。駆動裝置１４には、その動作時間を設定する制御器１７が接続されている。駆動裝置１４の回転軸は底板１３の底面に連結され、駆動裝置１４で底板１３を駆動して、容器１１内で鉛直軸まわりに回転させるのである。底板１３の底面の一方の側の出口には飼料放出器１５が設けられ、底板１３から流下した飼料は、この飼料放出器１５を経由して容器１１の外に押し出される。また、底板１３の下方には、中央から外周に向って下に傾斜した散布皿１６が設けられていて、その外周縁には凹槽１６１が形成され、飼料放出器１５から押し出された飼料などが、均等に散布皿１６の外周縁にある凹槽１６１に分布されるのである。容器１１の上には円形のふた１３１があり、ふた１３１の頂面の中央には尖端１３７が形成されていて、鳩などの家禽が、ふた１３１の上に止まることを防ぐようにしている。
【００１３】
以上の構成により、図３に示すように、本考案の裝置１０を使用するに当り、駆動裝置１４は設定された時間中底板１３を回転させ、飼料放出器１５は飼料などを容器１１の外に押し出し、均等に散布皿１６の外周縁にある凹槽１６１内に分布させ、鳩などの家禽の啄食に供し、定時、定量の自動給食の目的が果されるのである。
【００１４】
もう１度、図１、図２、図３を参照しよう。飼料放出器１５には１つの飼料通路を含む樋体１５１が設けられており、底板１３の出口に対応して１つの受け口１５３があって、底板１３上の飼料などが受け口１５３から飼料通路に入る。また、飼料放出器１５には、飼料通路内の送りねじ棒１５７と連結した１つのモータ１５５が設けられ、このモータ１５５はさらに制御器１７と電気的に接続し、モータ１５５を制御器１７から発する信号で動作させ、送りねじ棒１５７を駆動回転して、飼料通路内の飼料などを樋体１５１の出口から送り出すのである。ここで、送りねじ棒は、真直な軸体の表面に螺旋状の連続した歯部が形成されてなる。制御器１７で設定する飼料放出器１５の動作時間は、例えば１日２回である。
【００１５】
図４を参照しよう。受け皿１２の回転台１２１の周囲には導体１２３が環設され、電源に接続している。飼料放出器１５の底板１３の底部に１つのブラシ１２５が設けられ、モータ１５５と電気的に接続してぃる。ブラシ１２５の一面部は導体１２３と接触し、底板１３の回転の際、その底部に位置するブラシ１２５は常に導体１２３と接触状態を保っているので、ブラシ１２５の介在で、電気を電源からモータ１５５に供給するのである。
【００１６】
受け皿１２の上にはタッチ・オン・スイッチ１２７が設けられていて、スイッチ１２７はさらに制御器１７と接続している。底板１３が回転して飼料放出器１５がタッチ・オン・スイッチ１２７に接触してオンしたとき、制御器１７はスイッチ１２７からの信号を受信して、駆動裝置１４を逆方向に回転させる。このように底板１３は駆動裝置１４の駆動により、容器１１の中で正逆２方向に反覆回転する。
【００１７】
なお、上記実施形態では、容器１１の底板１３とともに飼料放出器１５が回転させられるように構成されているが、本考案はこれに限定されるものではない。本考案では、底板１３が固定されていて、飼料放出器１５のみが回転させられるように構成されてもよい。
【００１８】
図５に本考案のもう１つの実施形態を示す。均等に飼料を散布するための飼料散布裝置１０には、飼料などを貯蔵する容器１１と、容器１１内に設けられ、その中に貯蔵された飼料などを載せる底板１３と、底板１３の底面の出口に設けられた飼料放出器１５とを含んでいる。底板１３から流下した飼料などは飼料放出器１５に流入し、ここから容器１１の外へ押し出される。飼料放出器１５の出口下方には漏斗１４が取り付けられ、その更に下方には中央から外周に向って下に傾斜した散布皿１６が設けられている。散布皿１６の外周縁に沿って凹槽１６１が形成されている。また、漏斗１４の出口は散布皿１６の頂部中央の錐体１６２に対応しているので、飼料放出器１５から押し出された飼料などはこの錐体１６２から均等に散布皿１６の外周縁にある凹槽１６１に分布される。容器１１の頂部には円形のふた１３１がかぶされていて、その中央には尖端１３７が形成され、例えば鳩などが、ふた１３１の上に止まることができないようにしている。飼料放出器１５のモータ１５５は制御器１７と接続していて、例えば１日２回と言うように制御器１７により、飼料放出器１５の動作時間を設定するのである。
【００１９】
このような構成で使用に当り、飼料放出器１５は設定された時間に従って底板１３上の飼料などを均等に散布皿１６外周縁の凹槽１６１内に分布して、鳩などの家禽の啄食に供し、定時、定量の自動給食の目的が果されるのである。
【００２０】
更に１つの実施方式として、図６、図７、図８に示すように、容器１１内壁の底板１３に隣接して出口１３３の位置には１本の横バー１１１が設けられ、この横バー１１１から下に向って垂直に１つの弾性を有する棒状の撹拌器１８が取り付けられ、その下端はその下にある飼料放出器１５の送りねじ棒１５７の螺旋状の連続した齒部に抵触している。撹拌器１８としては、例えばコイルばね（つるまきばね）が使用され得る。
【００２１】
このような構成で、飼料放出器１５が底板１３上に落下した飼料などを均等に散布皿１６外周縁の凹槽１６１内に分布して、鳩などの家禽に啄食させる際、同時に弾性撹拌器１８は、送りねじ棒１５７の螺旋状の連続した齒部の回転により当該齒部に当接して駆動されて前後にスイングし、底板１３底面の出口１３３付近を撹拌する。これにより、飼料などが出口１３３に堆積して、飼料放出器１５に流入不能になることを防止する。
【００２２】
以上詳細な説明は、本考案の実行可能な実施形態に付いての具体的説明である。但し、これらの実施形態は本考案の特許請求の範囲を制限するものではなく、およそ本考案の技術精神を逸脱せずになされた同等効果の実施又は変更は、全て本考案の特許請求の範囲内に含まれるものとする。
【図面の簡単な説明】
【００２３】
【図１】本考案に係る、飼料散布裝置の立体概観図である。
【図２】本考案に係る、飼料散布裝置の断面図である。
【図３】本考案に係る、飼料散布裝置の使用状態の説明図である。
【図４】本考案に係る、飼料散布裝置の頂面図である。
【図５】本考案のもう１つの実施形態の断面図である。
【図６】本考案に係る、飼料散布裝置の撹拌器を含む概観図である。
【図７】本考案に係る、飼料散布裝置の撹拌器を含む断面図である。
【図８】図６の使用状態の説明図である。
【符号の説明】
【００２４】
１０  均等に飼料を散布する裝置、
１１  容器、
１２  受け皿、
１２１  回転台、
１３  底板、
１４  駆動裝置、
１７  制御器、
１５  飼料放出器、
１６  散布皿、
１６１  凹槽、
１７１  樋体、
１５３  受け口、
１５５  モータ、
１５７  送りねじ棒、
１３１  ふた、
１３７  尖端、
１２３  導体、
１２５  ブラシ、
１２７  タッチ・オン・スイッチ、
１３３  出口、
１１１  横バー、
１８  弾性を有する撹拌器。
【図１】
0003139369.tif 000003
【図２】
0003139369.tif 000004
【図３】
0003139369.tif 000005
【図４】
0003139369.tif 000006
【図５】
0003139369.tif 000007
【図６】
0003139369.tif 000008
【図７】
0003139369.tif 000009
【図８】
0003139369.tif 000010